(57)【要約】【課題】撹拌式研米機において、研米ホッパー１の底壁に落下する糠粉等が、該底壁に形成された糠排出用の穴１ｄから排出され、該底壁上に溜らないようにする。【解決手段】底壁及び側壁に糠排出用の穴１ａ、１ｄを有する研米ホッパー１と、研米ホッパー１の内部で回転して精米を撹拌し、その表面から糠を除去する撹拌部材２と、除去された糠を糠排出用の穴１ａ、１ｄを通して吸引・排出する糠吸引装置５を備え、研米された精米と糠を分離回収するようにした撹拌式研米機。撹拌部材２は、研米ホッパー１の底壁から所定の隙間を開けて配置された円盤状の回転座１２と、回転座１２上に設置された撹拌部１３と、回転座１２の下面に設置されたブラシ状の掃き出し部１３からなることを特徴とする撹拌式精穀機。【選択図】  図１
2004174422.tif 000002
【特許請求の範囲】
【請求項１】
底壁及び側壁に糠排出用の穴を有する精穀ホッパーの内部で回転して米穀類を撹拌し、その表面から糠を除去する撹拌部材において、円盤状の回転座と、該回転座上に設置された撹拌部と、前記回転座の下面側に設置された掃き出し部からなることを特徴とする撹拌式精穀機における撹拌部材。
【請求項２】
底壁及び側壁に糠排出用の穴を有する精穀ホッパーと、該精穀ホッパーの内部で回転して米穀類を撹拌し、その表面から糠を除去する撹拌部材を備え、精穀された米穀類と糠を分離回収するようにした撹拌式精穀機において、前記撹拌部材は、前記精穀ホッパーの底壁から所定の隙間を開けて配置された円盤状の回転座と、該回転座上に設置された撹拌部と、前記回転座の下面側に設置された掃き出し部からなることを特徴とする撹拌式精穀機。
【請求項３】
除去された糠を前記糠排出用の穴を通して吸引・排出する糠吸引装置を備えることを特徴とする請求項２に記載された撹拌式精穀機。
【請求項４】
前記攪拌部材の回転座は前記精穀ホッパーの底壁を被う外径を有することを特徴とする請求項２又は３に記載された攪拌式精穀機。
【発明の詳細な説明】
【０００１】
【発明の属する技術分野】
本発明は、米穀類の表面から糠を除去し、精穀された米穀類と糠を分離回収する撹拌式精穀機（精米機、研米機等）において、精穀ホッパーの内部で回転して米穀類を撹拌する撹拌部材と、該撹拌部材を設置した撹拌式精穀機に関する。
【０００２】
【従来の技術】
撹拌式精穀機の精穀ホッパー内で回転する撹拌部材として、特開２００１−１４９８０２、特開２００１−２５９４４５及び特開２００２−２２４５７７には、円盤状の回転座と該回転座の上に設置された撹拌部からなる撹拌部材が記載されている。この撹拌部材において、回転座は精穀ホッパーの底壁を被う外径を有し、該底壁の上方に該底壁から所定の隙間を開けて配置され、精穀ホッパー内に投入された米穀類は底壁上でなく全て回転座上に留まるようになっている。また、撹拌部は、回転座上に放射状に形成された突状、回転座の上に所定の隙間を開けて配置されたブラシ状の筒状体など、種々の形態のものがある。
【０００３】
上記撹拌部材の回転座は、精穀ホッパーの内部にその側壁内面と接触しないように僅かな隙間を介して配置されている。従って、米穀類は精穀後のものも含めてこの隙間に侵入して噛み込んだり、この隙間から精穀ホッパーの底壁上に落下することはないが、糠粉や米穀類の小破片の一部又は微小な砂粒などの夾雑物がこの隙間を通って落下し、精穀ホッパーの底壁上に蓄積する。
この糠粉等が溜ったまま使用を続けていると虫やカビが発生して不衛生であり、また、撹拌部材を外して清掃するのは面倒であるため、特開２００１−２５９４４４では、精穀ホッパーの底壁に糠排出用の穴（夾雑物排出口）を形成し、この穴を糠吸引装置に連通させ、底壁上に落下する糠粉や小石などを、この穴から吸引・排出する方法が提案されている。
【０００４】
【発明が解決しようとする課題】
しかし、糠粉は粘着性を有し、凝集して精穀ホッパーの底壁に付着しやすいため、吸引力が作用しても実際には前記糠排出用の穴から簡単には排出されず、精穀ホッパーの底壁には糠粉等が溜ったままになってしまう。
本発明は、従来の精穀機の上記問題点に鑑みてなされたもので、精穀ホッパーの底壁に落下する糠粉等が、該底壁に形成した糠排出用の穴から排出され該底壁上に溜らないようにすることを目的とする。
【０００５】
【課題を解決するための手段】
本発明は、撹拌式精穀機における撹拌部材、特に底壁及び側壁に糠排出用の穴を有する精穀ホッパーの内部で回転して米穀類を撹拌し、その表面から糠を除去する撹拌部材において、円盤状の回転座と、該回転座上に設置された撹拌部と、前記回転座の下面に設置された掃き出し部からなることを特徴とする。掃き出し部は精穀ホッパーの底壁上に落下した糠粉等を該底壁に形成された糠排出用の穴へ掃き出す作用をするもので、望ましくはその下端が精穀ホッパーの底壁に達する可撓性の材質の部材、例えばゴム板やブラシ状の部材である。
【０００６】
また、本発明は、底壁及び側壁に糠排出用の穴を有する精穀ホッパーと、該精穀ホッパーの内部で回転して米穀類を撹拌し、その表面から糠を除去する撹拌部材を備え、精穀された米穀類と糠を分離回収するようにした撹拌式精穀機において、前記撹拌部材は、前記底壁から所定の隙間を置いて配置された円盤状の回転座と、該回転座上に設置された撹拌部と、前記回転座の下面に設置された掃き出し部からなることを特徴とする。
上記攪拌式精穀機は、望ましくは、除去された糠を前記糠排出用の穴を通して吸引・排出する糠吸引装置を備える。また、前記撹拌部材は、例えば前記精穀ホッパーの底壁を被う外径を有する。
なお、本発明は、玄米を精米する精米機、精米をさらに研米する研米機あるいは無洗米機等のほか、穀類の撹拌式精穀機一般に適用し得る。
【０００７】
【発明の実施の形態】
以下、図１〜図８を参照して、本発明に係る撹拌式精穀機及び撹拌部材について説明する。
図１は撹拌式研米機の例であり、精穀ホッパーに相当する研米ホッパー１と、その中で回転して米を撹拌し糠を除去（研米）する撹拌部材２と、研米ホッパー１の周囲を一部隙間を置いて取り囲み、減圧室４及び糠吸引装置５に連通する吸引開口３ａを有し、米容器６に通じる排出開口３ｂを有する糠ケース３と、糠ケース３の上部を覆う蓋７と、攪拌部材２を回転させるモータ８等からなる。減圧室４には糠収集袋９が設置される。
【０００８】
研米ホッパー１は、図２に示すように、円筒状の側壁に多数の糠排出用穴１ａが形成された除糠部１ｂ及び米取出口１ｃを有し、水平な底壁の外周近傍に糠排出用穴１ｄを有する。研米ホッパー１を糠ケース３内にセットしたとき、米取出口１ｃが糠ケース３の排出開口３ｂと重なり、該排出開口３ｂには排出扉３ｃが取り付けられている。また、除糠部１ｂと糠排出用穴１ｄの周囲には、前記吸引開口３ａに連通する隙間３ｄが形成されている。
【０００９】
撹拌部材２は、図３に示すように、研米ホッパー１の底壁を被う外径を有する円盤状の回転座１１と、回転座１１上に所定の隙間を開けて設置された円筒状の撹拌部１２と、回転座１１の水平な下面に設置されたブラシ状の掃き出し部１３からなる。回転座１１は、研米ホッパー１の底壁の上方に該底壁から所定の隙間を開けて配置され、かつ研米ホッパー１の側壁内面と接触しないように研米ホッパー１の側壁の内壁よりやや小さい外径に設定され、研米ホッパー１１の内部に僅かな隙間を介して配置されている。撹拌部１２は、連結部１２ｂを介して回転座１１上に設置され、外周がブラシ状とされている。掃き出し部１３は可撓性の素材で形成されたブラシ状の部材からなり、これが回転座１１の下に放射状に取り付けられて該回転座１１の外周に達し、ブラシの先端が研米ホッパー１の底壁に接触している。
【００１０】
この撹拌式研米機では、研米ホッパー１に所要量の精米を入れ（精米は回転座１１上に乗る）、撹拌部材２を高速で回転させて撹拌し、同時に糠吸引装置５を作動させると、図４に示すように、研米ホッパー１内で円筒状の撹拌部１２の内側と外側を巡る循環（矢印で示す）をしながら撹拌研米される。米から剥離された糠粉ａなどは糠吸引装置５による吸引作用で、研米ホッパー１の側壁に形成された糠排出用穴１ａを通り抜け、さらに糠ケース３の吸引開口３ａを通って糠収集袋９に回収される。また、研米ホッパー１の側壁と回転座１１の隙間を通って研米ホッパー１の底壁上に落下した糠粉ｂなどは、回転する掃き出し部１３の掃き出し作用で糠排出用穴１ｄに達し、さらに糠吸引装置５による吸引作用が加わって糠排出用穴１ｄから掃き出され、吸引開口３ａを通って糠収集袋９に回収される。
一方、研米された米は、排出扉３ｃが開いたとき、撹拌部材２により与えられる遠心力により、研米ホッパー１の米取出口１ｃ及び糠ケース３の排出開口３ｂを通って米容器６に排出される。
【００１１】
図５は、本発明に係る別の撹拌部材を示すものである（ただし、掃き出し部は図示されていない）。図５の撹拌部材１４は、回転座１５が前記撹拌部材２と同じく平板状の円盤からなり、撹拌部１６が回転座１５上に形成された螺旋放射状の突状からなる。攪拌部材１４は、掃き出し部を除けば、公知の形態を有している。
【００１２】
図６及び図７は本発明に係る別の攪拌式研米器の要部を示す。この攪拌式研米器は、研米ホッパー２１と、その中で回転する撹拌部材２２と、研米ホッパー２１の周囲を隙間を置いて取り囲み、図示しない減圧室及び糠吸引装置に連通する吸引開口２３ａを有する糠ケース２３と、研米ホッパー２１の下方に設置した米容器２４と、糠ケース２３の上部を覆う蓋２５等を備える。
研米ホッパー２１は、円筒状の側壁に多数の糠排出口２１ａが形成され、底壁の中央部２１ｂが水平でやや低く、外周部２１ｃが中央部２１ｂに向けて下向きに傾斜し、外周部２１ｃは昇降可能とされている。底壁の中央部２１ｂには糠排出口２１ｄが形成され、これが前記減圧室及び糠吸引装置に連通し、その中心を軸受２６を介してモータ軸２７が貫通し、該モータ軸２７の先端に前記攪拌部材２２が装着されている。
【００１３】
攪拌部材２２は、詳しくは図８にも示すように、円錐状の回転座３１と、回転座３１上に設置された攪拌部（攪拌羽根）３２と、回転座３１の水平な下面に設置されたブラシ状の掃き出し部３３（図８には図示されていない）からなる。回転座３１は、研米ホッパー２１の側壁の径より小さく、底壁の中央部２１ｂの径とほぼ同程度の径とされ、かつ該底壁から所定の隙間を開けてその上方に配置されている。この隙間は研米された精米の径より十分に小さく、糠粉等は入り込むが精米は入り込めないようになっている。掃き出し部３３は可撓性の素材で形成されたブラシ状の部材からなり、これが回転座３１の下に放射状に取り付けられて該回転座３１の外周に達し、ブラシの先端が研米ホッパー２１の底壁の中央部２１ｂに接触している。
【００１４】
この撹拌式研米機では、ホッパー２１に所要量の精米を入れ、撹拌部材２２を高速で回転させて撹拌し、同時に図示しない糠吸引装置を作動させると、精米は研米ホッパー２１内で撹拌研米され、一方、米から剥離された糠粉などは前記糠吸引装置による吸引作用で、研米ホッパー２１の側壁に形成された糠排出用穴２１ａを通り抜け、さらに糠ケース２３の吸引開口２３ａを通って図示しない糠収集袋に回収される。また、研米ホッパー２１の底壁上に落下した糠粉などは、底壁の外周部２１ｃ上から中央部２１ｂ側に集まり、回転座３１の下に入り込み、回転する掃き出し部３３の掃き出し作用で糠排出用穴２１ｄに達し、さらに前記糠吸引装置による吸引作用が加わって糠排出用穴２１ｄから掃き出され、前記糠収集袋に回収される。
一方、研米された米は、攪拌部材２２の回転が停止した後、底壁の外周部２１ｃが下降することにより、下方の米容器に落下し、回収される。
【００１５】
なお、上記の例では、撹拌部材２，２２の掃き出し部１３、３３はブラシ状の部材で、その先端が研米ホッパー１、２１の底壁にちょうど接触する長さであったが、もう少し長く、回転時に引きずる程度にしてもよい。設置する個数も任意でよい。
また、上記の例では、本発明の撹拌部材を糠吸引装置を備える撹拌式研米機に適用したが、例えば特開２００１−１４９８０２の図面に記載されたように、糠吸引装置がなく、糠排出用穴から排出された糠が糠容器内に落下するタイプの撹拌式研米機にも適用することができる。
【００１６】
【発明の効果】
本発明に係る撹拌部材を、底壁及び側壁に糠排出用の穴を有する精穀ホッパーを有する撹拌式精穀機に用いることにより、精穀ホッパーの底壁に落下する糠粉等が、該底壁に形成した糠排出用の穴から排出され、該底壁上に溜らないようにすることができる。
【図面の簡単な説明】
【図１】本発明に係る撹拌式研米機の断面模式図である。
【図２】その撹拌式研米機に用いられた研米ホッパーの斜視図である。
【図３】その撹拌式研米機に用いられた撹拌部材の上面側斜視図（ａ）及び下面側斜視図（ｂ）である。
【図４】その撹拌式研米機における米の循環と糠の排出を説明する模式図である。
【図５】本発明に係る他の撹拌部材の上面側斜視図である。
【図６】本発明に係る他の攪拌式研米器の要部断面模式図である。
【図７】その底壁加工時の様子を示す断面模式図である。
【図８】本発明に係る他の撹拌部材の上面側斜視図である。
【符号の説明】
１、２１  研米ホッパー
１ａ、１ｄ、２１ａ、２１ｄ  糠排出用穴
２、１４、２２  撹拌部材
３、２３  糠ケース
４  減圧室
５  糠吸引装置
９  糠収集袋
１１、１５、３１  回転座
１２、１６、３２  撹拌部
１３、３３  掃き出し部
【図１】
2004174422.tif 000003
【図２】
2004174422.tif 000004
【図３】
2004174422.tif 000005
【図４】
2004174422.tif 000006
【図５】
2004174422.tif 000007
【図６】
2004174422.tif 000008
【図７】
2004174422.tif 000009
【図８】
2004174422.tif 000010